(57)【要約】【課題】室内側に露出する化粧部材が係止によって固定されている場合でも、化粧部材が落下することを防止可能な空気調和機を提供することを目的とする。【解決手段】天井に設置される空気調和機において、空気調和機本体と、室内側に露出する化粧部材であって、前記化粧部材の裏面側から上方に突出する係止部を有する化粧部材と、前記天井に取り付けられると共に前記化粧部材が係止固定される被取付部材であって、前記化粧部材の前記係止部が係止される開口部を有する被取付部材と、を備え、前記係止部は、上方側の先端部に、外方に向かって膨出する複数の膨出部を有し、さらに、前記複数の膨出部が前記開口部に係止されている状態において、前記複数の膨出部同士の離間距離が小さくならないよう、前記複数の膨出部同士の離間距離を所定距離以上に維持する離間距離規制部材を設けたことを特徴とする。【選択図】図７
2018031553.tif 000002
【特許請求の範囲】
【請求項１】
天井に設置される空気調和機において、
空気調和機本体と、
室内側に露出する化粧部材であって、前記化粧部材の裏面側から上方に突出する係止部を有する化粧部材と、
前記天井に取り付けられると共に前記化粧部材が係止固定される被取付部材であって、前記化粧部材の前記係止部が係止される開口部を有する被取付部材と、
を備え、
前記係止部は、上方側の先端部に、外方に向かって膨出する複数の膨出部を有し、
さらに、前記複数の膨出部が前記開口部に係止されている状態において、前記複数の膨出部同士の離間距離が小さくならないよう、前記複数の膨出部同士の離間距離を所定距離以上に維持する離間距離規制部材を設けたことを特徴とする空気調和機。
【請求項２】
前記離間距離規制部材は、前記複数の膨出部同士の離間距離を所定距離以上に維持できるように前記複数の膨出部を連結する連結具であることを特徴とする請求項１に記載の空気調和機。
【請求項３】
前記連結具は、前記複数の膨出部のうち、いずれかの前記膨出部と一体に成形されており、前記連結具は、前記複数の膨出部を連結する第１の状態と前記複数の膨出部を連結していない第２の状態とを選択可能に可動する構成であることを特徴とする請求項２に記載の空気調和機。
【請求項４】
前記天井および前記被取付部材は、前記膨出部および前記化粧部材の周縁部によって挟持されるよう構成され、
前記係止部は、前記化粧部材の前記周縁部よりも内方側かつ前記周縁部寄りに設けられ、
前記複数の膨出部は、前記化粧部材の外周方向に沿って相対するよう設けられ、
前記係止部は、前記膨出部と前記化粧部材の裏面とを繋ぐ脚部を有し、
前記膨出部の下面は、前記化粧部材の外方側よりも内方側の方が下方に位置することを特徴とする請求項１〜３のいずれか１つに記載の空気調和機。
【発明の詳細な説明】
【技術分野】
【０００１】
本発明は、空気調和機に関する。
【背景技術】
【０００２】
従来から、特許文献１のように、室内に露出する部材を係合によって他の部材に取り付けている空気調和機が知られている。
【０００３】
特許文献１には、室内側に露出する吸込口構造体の裏面から突出した弾性部材を、化粧パネルに設けられた係合用開口部である弾性部材係合穴に係合させることにより、吸込口構造体を化粧パネルに固定している。
【先行技術文献】
【特許文献】
【０００４】
【特許文献１】特開２０００−１０４９４４号公報
【発明の概要】
【発明が解決しようとする課題】
【０００５】
特許文献１の吸込口構造体は、リールやワイヤー等の吊り下げ構造体を使用しているが、コストダウンや施工の手間を軽減させるためには、そのような吊り下げ構造体を使用せず、係止のみによって吸込口構造体を固定することが好ましい。しかし、弾性部材を係止させるのみでは、弾性部材の経年的な変形等によって、弾性部材が弾性部材係合穴から抜け、吸込口構造体が落下してしまう恐れがある。
【０００６】
本発明は、室内側に露出する化粧部材が係止によって固定されている場合でも、化粧部材が落下することを防止可能な空気調和機を提供することを目的とする。
【課題を解決するための手段】
【０００７】
上記課題を解決するために、本発明に係る空気調和機は、天井に設置される空気調和機において、空気調和機本体と、室内側に露出する化粧部材であって、前記化粧部材の裏面側から上方に突出する係止部を有する化粧部材と、前記天井に取り付けられると共に前記化粧部材が係止固定される被取付部材であって、前記化粧部材の前記係止部が係止される開口部を有する被取付部材と、を備え、前記係止部は、上方側の先端部に、外方に向かって膨出する複数の膨出部を有し、さらに、前記複数の膨出部が前記開口部に係止されている状態において、前記複数の膨出部同士の離間距離が小さくならないよう、前記複数の膨出部同士の離間距離を所定距離以上に維持する離間距離規制部材を設けたことを特徴とする。
【０００８】
本発明に係る空気調和機においては、離間距離規制部材によって、開口部に係止されている複数の膨出部が内方へ変位してしまうことが防止されるため、化粧部材の落下を防止することができる。
【０００９】
また、本発明に係る空気調和機では、前記離間距離規制部材は、前記複数の膨出部同士の離間距離を所定距離以上に維持できるように前記複数の膨出部を連結する連結具であることも好ましい。
【００１０】
この好ましい態様では、複数の膨出部を連結具によって連結するという簡単な構成によって、化粧部材の落下を防止することができる。
【００１１】
また、本発明に係る空気調和機では、前記連結具は、前記複数の膨出部のうち、いずれかの前記膨出部と一体に成形されており、前記連結具は、前記複数の膨出部を連結する第１の状態と前記複数の膨出部を連結していない第２の状態とを選択可能に可動する構成であることも好ましい。
【００１２】
この好ましい態様では、連結具が膨出部と一体に成形されているため、複数の膨出部を連結する際に、連結具が落下したり、連結具を紛失する恐れがないため、作業性を向上させることができる。また、第１の状態と第２の状態とを選択可能に連結具が可動するため、複数の膨出部を開口部に挿入する際には第２の状態にすることで挿入が容易となり、連結具が膨出部と一体に成形されていている場合でも、化粧部材を係合する際の作業性が低下することもない。
【００１３】
また、本発明に係る空気調和機では、前記天井および前記被取付部材は、前記膨出部および前記化粧部材の周縁部によって挟持されるよう構成され、前記係止部は、前記化粧部材の前記周縁部よりも内方側かつ前記周縁部寄りに設けられ、前記複数の膨出部は、前記化粧部材の外周方向に沿って相対するよう設けられ、前記係止部は、前記膨出部と前記化粧部材の裏面とを繋ぐ脚部を有し、前記膨出部の下面は、前記化粧部材の外方側よりも内方側の方が下方に位置することも好ましい。
【００１４】
この好ましい態様では、膨出部の下面における、化粧部材の周縁部により近い外方側部分への応力集中を緩和し、脚部にかかる応力を均等化することができる。
【発明の効果】
【００１５】
本発明の空気調和機によれば、室内側に露出する化粧部材が係止によって固定されている場合でも、化粧部材が落下することを防止することできる。
【図面の簡単な説明】
【００１６】
【図１】本発明の第１実施形態に係る空気調和機を設置した浴室の斜視図。
【図２】図１に示した空気調和機の表側の斜視図。
【図３】図１に示した空気調和機の裏側の斜視図
【図４】第１実施形態に係る空気調和機の化粧部材および被取付部材の分解斜視図。
【図５】第１実施形態に係る空気調和機の係止部の拡大斜視図。
【図６】図５に示す係止部の右側の側面図。
【図７】第１実施形態に係る空気調和機の係止部を被取付部材の開口部に係止する方法を説明するための模式図。
【図８】第１実施形態に係る空気調和機の化粧部材を被取付部材に取り付ける方法を説明するための模式図。
【図９】図８（ｃ）における破線で囲まれたＢ部の拡大図。
【図１０】第１実施形態の空気調和機を天井に取り付けた後の側断面図。
【図１１】本発明の第２実施形態に係る係止部および嵌込具の拡大斜視図。
【図１２】図１１の係止部に嵌込具を嵌め込んだ状態を示す拡大斜視図。
【発明を実施するための形態】
【００１７】
以下、添付図面を参照しながら本発明の実施の形態について説明する。説明の理解を容易にするため、各図面において同一の構成要素に対しては可能な限り同一の符号を付して、重複する説明は省略する。
【００１８】
本発明の第１実施形態である空気調和機５について図１〜図３を参照しながら説明する。図１は、本発明の実施形態である空気調和機５を設置した浴室１の斜視図である。図２および図３はそれぞれ、図１に示した空気調和機５を表側から見た斜視図と、裏側から見た斜視図である。
【００１９】
図１に示すように、空気調和機５は、浴室１の天井３に取り付けられる。図２、図３に示すように、空気調和機５は、空気調和機本体７、化粧部材９、および被取付部材１１を有している。
【００２０】
空気調和機本体７は、吸排気装置１３および吸排気装置１３が浴室１内に露出するのを防ぐための被覆板１５から構成されている。吸排気装置１３は浴室内の空気吸引および浴室内への空気排出を行うためのファン（図示省略）と、ファンを回転させるためのモーター（図示省略）を備えている。
【００２１】
図４は、化粧部材９および被取付部材１１の分解斜視図である。また、図４には、天井３の一部（空気調和機５が取り付けられる部分）も示している。
【００２２】
化粧部材９は四角形（例えば矩形）の枠状に構成され、浴室１の室内側から見て、天井３の開口２９の周縁部３１を隠蔽する。したがって、図２に示すように、化粧部材９の一部は浴室１の室内側に露出している。
【００２３】
被取付部材１１も四角形（例えば矩形）の枠状に構成され、図示しないネジ等よって天井３の裏側に固定されている。図３に示す空気調和機本体７は、被取付部材１１に図示しないネジによって固定されている。化粧部材９は、後述するように、被取付部材１１に係止固定されている。
【００２４】
化粧部材９の裏面側には複数の係止部１７が設けられ、これら複数の係止部１７も含めた化粧部材９は樹脂（例えばポリプロピレン）で一体的に成形されている。係止部１７は、化粧部材９の裏面側から上方に突出するように設けられている。
【００２５】
化粧部材９には、８個の係止部１７が設けられている。具体的には、四角い枠状の化粧部材９が有する４つの辺部において、各辺部の中央に１個の係止部が設けられ、化粧部材９が有する４つの角部のそれぞれにおいて、１個の係止部１７が設けられている。すなわち、各辺部の中央および各辺部の延在方向の両端に係止部１７が設けられている。
【００２６】
被取付部材１１は、化粧部材９の係止部１７が係止される開口部１９を有している。具体的には、各係止部１７を係止可能なように、８個の開口部１９を有しており、それぞれの開口部１９は、各係止部１７の位置に対応して形成されている。
【００２７】
天井３には開口２９が設けられており、被取付部材１１は、この開口２９の周縁部３１に沿うようにして図示しないネジ等によって天井３の裏面側に固定される。そして、このようにして固定された被取付部材１１に対し、天井３の開口２９を介して、化粧部材９を係止させる。
【００２８】
続いて、係止部１７の構造について詳細に説明する。図５は、係止部１７の拡大斜視図である。
【００２９】
１つの係止部１７は、一対の脚部２３と、一対の膨出部２１とを有する。これら脚部２３および膨出部２１は、樹脂で一体に成形されている。一対の脚部２３は、枠状の化粧部材９の外周方向（１つの辺部の延在方向）に沿って離間して相対している（向き合っている）。一対の膨出部２１も同様に、化粧部材９の外周方向に沿って離間して相対している（向き合っている）。
【００３０】
脚部２３は化粧部材９の裏面から上方に延びている。膨出部２１は、係止部１７の上方側の先端部に設けられている。脚部２３は、膨出部２１と化粧部材９の裏面との間に設けられ、膨出部２１と化粧部材９の裏面とを一体に繋いでいる。
【００３１】
膨出部２１は脚部２３よりも外方に膨出している。ここで、外方は、一対の膨出部２１（一対の脚部２３）が互いに向き合う側の反対側を表す。また、２つの膨出部２１は、対応する１つの開口部１９に係止されるものであって、膨出部２１は、係止部１７を開口部１９に係止させた状態において、開口部１９の外方に向かって膨出するよう構成されている。このように互いに外方に膨出している膨出部２１の外面２１２は、脚部２３の外面よりも外方に位置する。また、膨出部２１の下面２１１は、外方に向かって下降傾斜するよう構成されている。
【００３２】
脚部２３は、高さ方向の略中央に屈曲部２５を有している。一対の脚部２３において、屈曲部２５よりも下方（根元側）の下部の間隔は、屈曲部よりも上方の上部の間隔よりも小さい。脚部２３の上部が、下部から外方に向けて折れ曲がっている。
【００３３】
膨出部２１の下面と、脚部２３の外面との間に、コーナーが形成されている。
【００３４】
脚部２３は弾性を有しており、膨出部２１に外力が加わったときに弾性変形する板ばねのように機能する。
【００３５】
図５に示すように、係止部１７には、離間距離規制部材として、連結具２７が設けられている。連結具２７は、開口部１９に係止されている一対の膨出部２１の離間距離が変わらないように一対の膨出部２１を連結する。ここで、離間距離は、一対の膨出部２１の内面または外面における同じ高さに位置する任意の箇所の間の距離を表す。
【００３６】
連結具２７は、一対の膨出部２１のうちいずれか一方の膨出部２１と一体に成形されている。すなわち、連結具２７は、係止部１７と同じ樹脂材料で一体に成形されている。なお、連結具２７は、係止部１７とは別体に構成してもよい。
【００３７】
図５に示す例では、連結具２７は一方（右方）の膨出部２１の上端部（先端部）に対して薄肉部を介して一体に設けられ、その薄肉部を支点（中心軸）にして、一対の膨出部２１を連結する第１の状態と、一対の膨出部２１を連結していない第２の状態とを選択可能に可動する。
【００３８】
一対の膨出部２１のうち、連結部２７と一体結合していない方の膨出部２１の上端部（先端部）には、嵌合凸部２２が設けられている。一方、連結部２７の先端部には、嵌合凸部２２と嵌合可能な嵌合凹部２８が設けられている。
【００３９】
後述する図７（ｃ）に示すように、連結部２７の嵌合凹部２８と、膨出部２１の嵌合凸部２２とが嵌合することで、連結部２７は、一対の膨出部２１どうしを連結する第１の状態をとる。
【００４０】
図６は、図５に示す係止部１７の右側の側面図である。
【００４１】
係止部１７が被取付部材１１の開口部１９に係止された状態で、膨出部２１の下面２１１は、被取付部材１１における開口部１９周縁の上面に当接する。図６に示す破線は、その被取付部材１１の上面の位置を表す。
【００４２】
図６において、係止部１７の右側が枠状の被取付部材１１および同じく枠状の化粧部材９の内方側であり、左側が被取付部材１１および化粧部材９の外方側である。膨出部２１をその外面側から見た側面視において、膨出部２１の下面２１１は被取付部材１１の上面（破線）に対して傾斜しており、膨出部２１の下面２１１における内方側の部分２１１ｂは、外方側の部分２１１ａよりも下方に位置する。被取付部材１１の上面に対する、膨出部２１の下面２１１の傾斜角度は、例えば１°以下である。この下面２１１の傾斜は、化粧部材９を射出成形で一体的に成型する場合などに必ず発生する抜き勾配によって形成すると、成型後に傾斜を設けるための後加工を施す必要がなくなるため、製造コストを抑えることができる。また、このような方法で下面２１１に傾斜を形成する場合、金型から成型品を抜く際の抜きやすさを踏まえ、下面２１１の傾斜角度を０．５°以上に設定することが好ましい。
【００４３】
続いて、係止部１７を開口部１９に係止する方法について説明する。
【００４４】
図７（ａ）〜（ｃ）は、化粧部材９の係止部１７を、被取付部材１１の開口部１９に係止する方法を説明するための模式図である。図７（ａ）は、膨出部２１を開口部１９に挿入する前の状態を示す。図７（ｂ）は、膨出部２１を開口部１９に挿入した後の状態を示す。図７（ｃ）は、開口部１９に係止した２つの膨出部２１が連結具２７で連結された状態を示す。
【００４５】
図７（ａ）に示すように、係止部１７を開口部１９に挿入する前は、２つの膨出部２１は連結具２７によって連結されていない第２の状態にする。
【００４６】
続いて、２つの膨出部２１が開口部１９へ入り込むように、係止部１７を開口部１９に挿入していく。その際、図７（ｂ）の破線で示すように、２つの膨出部２１の外面２１２が開口部１９の周縁２０と当接し、挿入するにしたがって２つの膨出部２１の離間距離が小さくなっていくことで、２つの膨出部２１は開口部１９に挿入されていく。なお、２つの膨出部２１の離間距離の変化は、弾性変形によって屈曲部２５の屈曲度が小さくなる（屈曲が緩くなる）ことによって生じる。
【００４７】
図７（ｂ）の実線で示すように、２つの膨出部２１が開口部１９へ入り込んだ後は、弾性変形していた屈曲部２５がもとの屈曲度に復元し、２つの膨出部２１の下面２１１が被取付部材１１の上面に乗り上がることで、膨出部２１の下面２１１が開口部１９の周縁２０に引っ掛かり、係止部１７が開口部１９に係止した状態となる。
【００４８】
そして、図７（ｃ）に示すように、連結具２７を回動させ、連結具２７の嵌合凹部２８と膨出部２１の上端に設けられた嵌合凸部２２とを嵌合させ、２つの膨出部２１を連結した状態（第１の状態）にすることで、係止部１７の開口部１９への係止作業が完了する。
【００４９】
図８（ａ）〜（ｃ）は、化粧部材９を被取付部材１１に取り付ける方法を説明するための模式図である。図８（ａ）は、係止部１７を開口部１９に挿入する前の状態を示しており、図８（ｂ）は、全ての係止部１７を対応する開口部１９に挿入した後の様子を示しており、図８（ｃ）は、連結具２７によって、それぞれの係止部１７における２つの膨出部２１を連結した後の様子を示している。
【００５０】
図８に示す順序によって、全ての係止部１７をそれぞれに対応する開口部１９に係止することで、予め開口２９の周縁部３１にネジ等によって固定された被取付部材１１に化粧部材９を係止固定することができる。
【００５１】
なお、被取付部材１１の天井３への固定作業、図７（ａ）〜（ｃ）および図８（ａ）〜（ｃ）に示す作業は、天井３を浴室１の上部に組み付ける前に行われる。したがって、膨出部２１の開口部１９への挿入作業、および連結具２７による２つの膨出部２１の連結作業を、作業者の手元で行うことができる。
【００５２】
図９は、図８（ｃ）における破線で囲まれたＢ部の拡大図である。また、図１０は、空気調和機５を天井３に取り付けた状態における、図８（ｃ）の係止部１７を右側から見た側断面図である。図９および図１０に示すように、枠状の化粧部材９の周縁部であるフランジ部１２の外方側端部は、天井開口２９の周縁における天井３の表面に押し当たっている。そのフランジ部１２の下面は、天井開口２９の縁を隠す化粧面として機能する。
【００５３】
また、１つの係止部１７は、化粧部材９のフランジ部１２よりも内方側であって、かつフランジ部１２寄りの位置（フランジ部１２の近傍）に設けられており、図９に示すように、膨出部２１の下面２１１の外方側の端部が、被取付部材１１の上面に押し当たっている。
【００５４】
したがって、化粧部材９のフランジ部１２と、膨出部２１の下面２１１とで、天井３および被取付部材１１を挟み込んでいる。フランジ部１２の弾性変形による復元力が、膨出部２１とフランジ部１２との間で天井３および被取付部材１１を挟み込む力を与える。
【００５５】
本実施形態では、このように、下面２１１が外方に向かって傾斜している膨出部２１と化粧部材９のフランジ部によって天井３および被取付部材１１を挟持する構造となるため、ファンの回転や、ファンを回転させるモーターの駆動等により空気調和機本体７が振動しても、化粧部材９のフランジ部１２の上下方向のがたつきを抑え、騒音の発生を抑制することができる。
【００５６】
また、本実施形態では、係止部１７において、膨出部２１と化粧部材９の裏面との間に屈曲部２５が形成されるため、開口部１９へ膨出部２１を挿入する際、屈曲部２５を中心として脚部２３に変形を生じさせることができる。したがって、脚部２３の根元ではなく、脚部２３の中でもより膨出部２１に近い位置で変形を生じさせることができる。これにより、開口部１９へ係止部１７の膨出部２１を挿入する際に、図７（ｂ）の破線で示すように、一時的に膨出部２１の下面を外方へ向かって上昇傾斜させた状態にしやすくなる。よって、開口部１９へ膨出部２１を挿入する際により少ない挿入量で係止部１７を開口部１９に係止させることが可能となり、係止作業性を向上させることができる。
【００５７】
また、本実施形態では、複数の膨出部２１が開口部１９に係止されている状態において、複数の膨出部２１同士の離間距離が小さくならないよう、複数の膨出部２１同士の離間距離を所定距離以上に維持する連結具２７を設けている。このように簡単な構成によって、複数の膨出部２１が開口部１９に係止されている状態において、開口部１９に係止されている複数の膨出部２１が内方へ変位してしまうことが防止されるため、化粧部材の落下を防止することができる。また、膨出部２１の下端と、化粧部材９における天井開口２９の周縁部３１を覆っているフランジ部１２との間の上下方向の最短距離Ｌが係止部１７の変形等により経年的に大きくなってしまうことがなく、長期間に亘り化粧部材９の上下方向へのがたつきを抑制することができる。
【００５８】
また、本実施形態では、連結具２７は、２つの膨出部２１のうち、いずれか一方の膨出部２１と一体に成形されており、連結具２７は、２つの膨出部２１を連結する第１の状態と２つの膨出部２１を連結していない第２の状態とを選択可能に回動するよう構成されている。したがって、２つの膨出部２１を連結する際に、連結具２７が落下したり、連結具２７を紛失する恐れがないため、化粧部材９を被取付部材１１に取り付ける際の作業性を向上させることができる。また、複数の膨出部２１を開口部１９に挿入する際には第２の状態にすることで挿入が容易となり、連結具２７が膨出部２１と一体に成形されていている場合でも、化粧部材９を係合する際の作業性が低下することもない。
【００５９】
また、本実施形態では、図１０に示すように、膨出部２１の下面２１１における化粧部材９の内方側の部分２１１ｂを、化粧部材９の外方側の部分２１１ａよりも下方に位置させている。より具体的には、膨出部２１の下面２１１を、化粧部材９の外周方向に対して直交する方向において、化粧部材９の外方側から内方側へ下降傾斜するよう構成している。したがって、内方側の部分２１１ｂの方が、外方側の部分２１１ａよりも被取付部材１１の上面に対する押圧力が高くなる。外方側の部分２１１ａは、被取付部材１１の上面から浮いている、または、内方側の部分２１１ｂよりも弱い力で接している。
【００６０】
次に、本発明に係る空気調和機５の第２実施形態について説明する。第２実施形態では、第１実施形態の係止部１７および連結具２７のみが異なっており、その他の構成は第１実施形態と同一であるため、説明を省略する。
【００６１】
図１１は、第２の実施形態の係止部３３およびこの係止部３３に嵌めこまれる嵌込具４１の拡大斜視図である。
【００６２】
係止部３３は、樹脂により成形されており、化粧部材９の裏面から上方に吐出する筒状の円筒脚部３５および円筒脚部３５の先端に設けられた複数の膨出部３７を有している。この複数の膨出部３７は、円筒脚部３５と一体に成形されると共に、周方向において所定の間隔をおいて設けられている。
【００６３】
一方、嵌込具４１は、樹脂により成形されており、ドーナツ型の基部４３に十字型のクロス部４５を一体に設けることで構成されている。
【００６４】
図１２は、係止部３３に嵌込具４１を嵌め込んだ状態の斜視図である。図１２に示すように、係止部３３に嵌込具４１を嵌め込んだ状態では、係止部３３の複数の膨出部３７の間の隙間３９に嵌込具４１のクロス部４５が入り込んだ状態となる。クロス部４５を構成している２つの線状部材４７のそれぞれの横幅は、複数の膨出部３７の間の隙間３９の横幅と略同一の横幅となるよう構成されているため、係止部３３に嵌込具４１を嵌め込んだ状態においては、複数の膨出部３７は、外力が作用したとしてもそれらの離間距離が小さくならないように規制される。すなわち、離間距離が所定距離以上となるように規制される。
【００６５】
したがって、第１実施形態と同様、係止部３３を例えば被取付部材１１に設けた円状の開口部に挿入し、係止部３３をその開口部に係止させた後で、嵌込具４１を係止部３３に嵌めこむことで、化粧部材９が被取付部材１１から落下してしまうことを防止することができる。
【符号の説明】
【００６６】
１：浴室
３：天井
５：空気調和機
７：空気調和機本体
９：化粧部材
１１：被取付部材
１２：フランジ部
１３：吸排気装置
１５：被覆板
１７：係止部
１９：開口部
２０：周縁
２１：膨出部
２１１：下面
２１２：外面
２２：嵌合凸部
２３：脚部
２５：屈曲部
２７：連結具（離間距離規制部材）
２８：嵌合凹部
２９：開口
３１：周縁部
３３：係止部
３５：円筒脚部（脚部）
３７：膨出部
３９：隙間
４１：嵌込具（相対位置拘束部材）
４３：基部
４５：クロス部
４７：線状部材
【図１】
2018031553.tif 000003
【図２】
2018031553.tif 000004
【図３】
2018031553.tif 000005
【図４】
2018031553.tif 000006
【図５】
2018031553.tif 000007
【図６】
2018031553.tif 000008
【図７】
2018031553.tif 000009
【図８】
2018031553.tif 000010
【図９】
2018031553.tif 000011
【図１０】
2018031553.tif 000012
【図１１】
2018031553.tif 000013
【図１２】
2018031553.tif 000014